(57)【特許請求の範囲】
【請求項１】
短冊形で下端を突縁に形成した懸吊ベルトが下方に運転者標識を表示する面を有し、前記懸吊ベルトの上部裏面に粘着剤付の甲ファスナーと乙ファスナーとからなる面ファスナーの前記甲ファスナー側を貼付し、前記乙ファスナー側をトランクリッドが下降して閉止する自動車後部の外縁部に隠蔽して貼付し、前記面ファスナーにより一点支持する前記懸吊ベルトを介して前記運転者標識を自動車の後部外面に垂下する自動車運転者標識。
【請求項２】
短冊形で下端を突縁に形成した懸吊ベルトが下方に運転者標識を表示する面を有し、前記懸吊ベルトの上部裏面に粘着剤付の甲ファスナーと乙ファスナーとからなる面ファスナーの前記甲ファスナー側を貼付し、前記乙ファスナー側を前記甲ファスナーから所定幅を離間して前記懸吊ベルトの下方裏面に貼付し、フロントグリルの上段突設部材に前記懸吊ベルトの前記上部裏面を環状に巻掛けて支持し、前記フロントグリルの下段突設部材には前記懸吊ベルトの前記突縁を挟入して支持し、前記懸吊ベルトが縦に上下二点で支持して前記運転者標識を自動車の前部外面に表示する自動車運転者標識。
【請求項３】
短冊形で下端を突縁に形成した懸吊ベルト部材と、該懸吊ベルト部材の下方表面に重着する運転者標識部材と、前記懸吊ベルト部材の上部裏面に貼付する粘着剤付の甲ファスナーと乙ファスナーとからなる面ファスナーとで構成し、前記懸吊ベルト部材の上部裏面に前記面ファスナーの前記甲ファスナー側を貼付し、前記乙ファスナー側をトランクリッドが下降して閉止する自動車後部の外縁部に隠蔽して貼付し、前記面ファスナーにより一点支持する前記懸吊ベルト部材を介して前記運転者標識部材を自動車の後部外面に垂下する自動車運転者標識。
【請求項４】
短冊形で下端を突縁に形成した懸吊ベルト部材と、該懸吊ベルト部材の下方表面に重着する運転者標識部材と、前記懸吊ベルト部材の上部裏面に貼付する粘着剤付の甲ファスナーと乙ファスナーとからなる面ファスナーとで構成し、前記懸吊ベルト部材の上部裏面に前記面ファスナーの前記甲ファスナー側を貼付し、前記乙ファスナー側を前記甲ファスナーから所定幅を離間して前記懸吊ベルト部材の下方裏面に貼付し、フロントグリルの上段突設部材に前記懸吊ベルト部材の前記上部裏面を環状に巻掛けて支持し、前記フロントグリルの下段突設部材には前記懸吊ベルト部材の前記突縁を挟入して支持し、前記懸吊ベルト部材が縦に上下二点で支持する前記運転者標識部材を自動車の前部外面に表示する自動車運転者標識。
【発明の詳細な説明】
【技術分野】
【０００１】  本発明は、初心運転者・高齢運転者・聴覚障害者・身体障害者など、保護が必要な特定の自動車運転者が、自動車の前方又は後方から見やすい位置に、義務として表示しなければならない自動車運転者標識に関する。
【背景技術】
【０００２】  従来、道路交通法で定める自動車運転者が表示する義務がある標識は、自動車の車内から窓ガラスに貼り付ける吸盤式と、車体の外側に貼り付けるマグネット式などが市販されている。
【発明の概要】
【発明が解決しようとする課題】
【０００３】  以上に述べた従来の自動車運転者標識は、自動車の車内から窓ガラスに貼り付ける吸盤式と、車体の外面に貼り付けるマグネット式とであるが、自動車の意匠を凝らした形態と装飾に埋没して目立ち難く、その装着時と装着後にも次のような欠点があった。【０００４】  １．吸盤式は車内取付の硝子専用であって、熱せられた硝子面や熱線で熱せられるリア      硝子面及び汚れた硝子面では吸着力が弱く落下しやすい。
また、吸盤はウィンドフイルムなど樹脂製の素材には吸着した痕跡が残る。
２．マグネット式は車外専用で、装着面が高温になったり長期間装着すると、塗装面に      固着したり塗装面が剥離したり装着した痕跡が残る。
また、マグネット式は高速道路など走行中の風圧や振動によって脱落することもあ      り、非鉄金属や曲面とか凹凸面への装着が不可能であった。
３．特に初心運転者標識は、僅か一年間の装着であるにも拘わらず、新車や新しい塗装      面に装着すると、装着痕跡が残る憂いがあった。【０００５】  本発明は、このような従来の標識が有していた問題を解決しようとするものであり、標識を自動車の外面に目立ちやすく垂下し、自動車運転者標識の表示義務を負わない健常者が運転するときには、標識を取り外して収納するか又は標識を反転して裏面の安全運転標語をリバーシブル表示することにより、健常者と保護が必要な特定の自動車運転者とが同一の自動車を共用すると共に安全運転を喚起することを目的とするものである。
また、着脱が容易であり走行中の風圧や振動によって脱落しない自動車運転者標識を提供するものである。
また、自動車運転者標識を自動車の前面と後面に目立ちやすく垂下し、保護が必要な特定の自動車運転者である証しを明確に表示して、後続車のあおり運転による威嚇や嫌がらせ行為を抑制し、その不心得な振る舞いを回避することを目的とするものである。
【課題を解決するための手段】
【０００６】  第１の課題解決手段は、短冊形で下端を突縁に形成した懸吊ベルトが下方に運転者標識を表示する面を有し、前記懸吊ベルトの上部裏面に粘着剤付の甲ファスナーと乙ファスナーとからなる面ファスナーの前記甲ファスナー側を貼付し、前記乙ファスナー側をトランクリッドが下降して閉止する自動車後部の外縁部に隠蔽して貼付し、前記面ファスナーにより一点支持する前記懸吊ベルトを介して前記運転者標識を自動車の後部外面に垂下するものである。【０００７】  第２の課題解決手段は、短冊形で下端を突縁に形成した懸吊ベルトが下方に運転者標識を表示する面を有し、前記懸吊ベルトの上部裏面に粘着剤付の甲ファスナーと乙ファスナーとからなる面ファスナーの前記甲ファスナー側を貼付し、前記乙ファスナー側を前記甲ファスナーから所定幅を離間して前記懸吊ベルトの下方裏面に貼付し、フロントグリルの上段突設部材に前記懸吊ベルトの前記上部裏面を環状に巻掛けて支持し、前記フロントグリルの下段突設部材には前記懸吊ベルトの前記突縁を挟入して支持し、前記懸吊ベルトが縦に上下二点で支持して前記運転者標識を自動車の前部外面に表示するものである。【０００８】  第３の課題解決手段は、短冊形で下端を突縁に形成した懸吊ベルト部材と、該懸吊ベルト部材の下方表面に重着する運転者標識部材と、前記懸吊ベルト部材の上部裏面に貼付する粘着剤付の甲ファスナーと乙ファスナーとからなる面ファスナーとで構成し、前記懸吊ベルト部材の上部裏面に前記面ファスナーの前記甲ファスナー側を貼付し、前記乙ファスナー側をトランクリッドが下降して閉止する自動車後部の外縁部に隠蔽して貼付し、前記面ファスナーにより一点支持する前記懸吊ベルト部材を介して前記運転者標識部材を自動車の後部外面に垂下するものである。【０００９】  第４の課題解決手段は、短冊形で下端を突縁に形成した懸吊ベルト部材と、該懸吊ベルト部材の下方表面に重着する運転者標識部材と、前記懸吊ベルト部材の上部裏面に貼付する粘着剤付の甲ファスナーと乙ファスナーとからなる面ファスナーとで構成し、前記懸吊ベルト部材の上部裏面に前記面ファスナーの前記甲ファスナー側を貼付し、前記乙ファスナー側を前記甲ファスナーから所定幅を離間して前記懸吊ベルト部材の下方裏面に貼付し、フロントグリルの上段突設部材に前記懸吊ベルト部材の前記上部裏面を環状に巻掛けて支持し、前記フロントグリルの下段突設部材には前記懸吊ベルト部材の前記突縁を挟入して支持し、前記懸吊ベルト部材が縦に上下二点で支持して前記運転者標識部材を自動車の前部外面に表示するものである。【００１０】  第１の課題解決手段による作用は、短冊形で下端を突縁に形成した懸吊ベルトが下方に運転者標識を表示する面を有し、前記懸吊ベルトの上部裏面に粘着剤付の甲ファスナーと乙ファスナーとからなる面ファスナーの前記甲ファスナー側を貼付し、前記乙ファスナー側をトランクリッドが下降して閉止する自動車後部の外縁部に隠蔽して貼付し、前記面ファスナーと裏面に標語又は広告を標示する幅員を具有する前記懸吊ベルトとで支持して、前記運転者標識を自動車の後部外面に垂下するものである。【００１１】  また、健常者が同一の自動車を運転するときは、自動車後部の外縁部に貼付した面ファスナーの乙ファスナーから甲ファスナーを脱離して、自動車運転者標識を取り外し収納するものである。【００１２】  第２の課題解決手段による作用は、短冊形で下端を突縁に形成し下方に運転者標識を表示する面を有する懸吊ベルトの上部裏面を、フロントグリルの上段突設部材に対して環状に巻掛け、前記懸吊ベルトの上部裏面に貼付した甲ファスナーと所定幅を離間して貼付した乙ファスナーとを着接し、前記懸吊ベルトの下端を下段突設部材に挟入し、前記面ファスナーと裏面に標語又は広告を標示する幅員を具有する前記懸吊ベルトとで支持して、前記運転者標識を縦に上下二点で支持することにより前記運転者標識を自動車の前部外面に装着するものである。【００１３】  また、健常者が同一の自動車を運転するときは、フロントグリルの上段突設部材に巻掛けた懸吊ベルトの甲ファスナーを乙ファスナーから脱離させ、前記懸吊ベルトの下端を挟入していた下段突設部材から抜脱して自動車運転者標識を取り外し収納するものである。【００１４】  第３の課題解決手段による作用は、短冊形で下端を突縁に形成した懸吊ベルト部材と、該懸吊ベルト部材の下方表面に重着する運転者標識部材と、前記懸吊ベルト部材の上部裏面に貼付する粘着剤付の甲ファスナーと乙ファスナーとからなる面ファスナーとで構成し、前記懸吊ベルト部材の上部裏面に前記面ファスナーの前記甲ファスナー側を貼付し、前記乙ファスナー側をトランクリッドが下降して閉止する自動車後部の外縁部に隠蔽して貼付し、前記面ファスナーと裏面に標語又は広告を標示する幅員を具有する前記懸吊ベルト部材とで支持して、前記運転者標識部材を自動車の後部外面に垂下するものである。【００１５】第４の課題解決手段による作用は、短冊形で下端を突縁に形成した懸吊ベルト部材と、該懸吊ベルト部材の下方表面に重着する運転者標識部材と、前記懸吊ベルト部材の上部裏面に貼付する粘着剤付の甲ファスナーと乙ファスナーとからなる面ファスナーとで構成し、前記懸吊ベルト部材の上部裏面に前記面ファスナーの前記甲ファスナー側を貼付し、前記乙ファスナー側を前記甲ファスナーから所定幅を離間して前記懸吊ベルト部材の下方裏面に貼付し、フロントグリルの上段突設部材に前記懸吊ベルト部材の前記上部裏面を環状に巻掛けて支持し、前記フロントグリルの下段突設部材には前記懸吊ベルト部材の前記突縁を挟入して支持し、前記懸吊ベルト部材と裏面に標語又は広告を標示する幅員を具有する前記懸吊ベルト部材とで縦に上下二点で支持することにより前記運転者標識部材を自動車の前部外面に表示するものである。【００１６】  第１の課題解決手段による効果は、自動車運転者標識を自動車の後面に目立ちやすく垂下し、保護が必要な特定の自動車運転者である証しを明確に表示して、後続車のあおり運転による威嚇や嫌がらせ行為を抑制し、その不心得な振る舞いを回避するものである。【００１７】  また、短冊形で下端を水切り突縁に形成した裏面に標語又は広告を標示する幅員を具有する懸吊ベルトは、風雨の水しぶきや或いは洗車後の水溶液などの滴下を促し、トランクの外縁部と自動車運転者標識との間隙部における湿食媒体の滞留を排除し、塗装被膜の湿食を防止するもの��ある。【００１８】  また、自動車のトランクリッドが下降して閉止する外縁部に隠蔽して貼付する乙ファスナーに対して、［図７］及び［図８］に示す如く懸吊ベルトの上部を折り返して甲ファスナーを着接すれば、前記懸吊ベルトの裏面の安全運転標語をリバーシブル表示することが可能になり、安全運転を喚起するものである。【００１９】  また、運転者標識を表示する懸吊ベルトの上部裏面に貼付する甲ファスナーを、自動車のトランクリッドが下降して閉止する外縁部に隠蔽して貼付する乙ファスナーに着接し、前記懸吊ベルトを介して車体の外面に運転者標識を垂下する方式であるから、運転者標識が車体の塗装面に固着したり、塗装面が剥離したりまた運転者標識を装着した痕跡が残る憂いもなく、前記自動車運転者標識が自動車の後面に突設されるから目立ち易く、後続車からの視認効果も高くなる。【００２０】  また、自動車運転者標識を装着する面ファスナーは、トランクリッドが下降して閉止する外縁部とトランクの外縁部とで銜えられ咬持されるから、出来心や悪戯による盗難被害を防止し、走行中の風圧や振動によって前記自動車運転者標識が脱落することもない。【００２１】  また、着脱式の面ファスナーで装着する自動車運転者標識であるから、着脱して健常者と保護が必要な特定の自動車運転者とが同一の自動車を共用することを可能にする。【００２２】  また、健常者が自動車運転者標識を取り外した跡に残置する乙ファスナーは、トランクリッドが下降して閉止する外縁部に隠蔽されるから、自動車外面の美観は損なわれない。【００２３】  第２の課題解決手段による効果は、自動車運転者標識を自動車前面のフロントグリルに目立ちやすく装着し、保護が必要な特定の自動車運転者である証しを明確に表示して、対向車とのすれ違い事故や出会い頭事故を防ぎ、車両相互の思いやり運転を喚起するものである。【００２４】  また、運転者標識を下方に表示した懸吊ベルトの上部を、フロントグリルの上段突設部材に対して［図１３］及び［図１５］に示す如く環状に巻掛けて支持し、前記懸吊ベルトの下端は水切りの突縁にして下段突設部材に挟入するから、上段突設部材とルーズに巻掛けた懸吊ベルトとの間隙と下段突設部材に挟入した前記懸吊ベルトの突縁との間隙に付着する砂塵やごみは、風圧と振動で固着することなく飛散し時折の洗車で洗浄され、水はけの良い縦に上下二点での支持は湿食媒体の滞留によるフロントグリルの湿食を防ぎ、自動車運転者標識を自動車の前部外面に表示するものである。【００２５】懸吊ベルトの上部をフロントグリルの上段突設部材に巻掛ける上段の支点と、前記懸吊ベルトの下端を突縁にして下段突設部材にを挟入する下段の支点との縦に二点の支点で支持することにより、高速道路などを走行中は風圧による運転者標識のばたつきに標語又は広告を標示する幅員を具有する前記懸吊ベルトで耐えて、横移動を抑止するものであり、振動によって脱落することもない。【００２６】  また、着脱式の自動車運転者標識であるから、標識を着脱して健常者と保護が必要な特定の自動車運転者とが同一の自動車を共用することを可能にする。【００２７】  また、吊設方式の自動車運転者標識であるから、車体に固着したり塗装面が剥離した��、新車や新しい塗装面に装着した痕跡が残る憂いもない。【００２８】  また、本願発明の［請求項１］又は［請求項２］の自動車運転者標識は同一部材で形成されるものであって、乙ファスナー側を前記甲ファスナーから所定幅を離間して懸吊ベルトの下方裏面に貼付すると［請求項２］になり、乙ファスナー側をトランクリッドが下降して閉止する自動車後部の外縁部に隠蔽して貼付する場合は［請求項１］になるから、１種類の部材を２組製作することで自動車の前面用と後面用とに装着が可能である。【００２９】  第３の課題解決手段による効果は、短冊形の懸吊ベルト部材と、初心運転者・高齢運転者・聴覚障害者・身体障害者などの運転者標識部材と、粘着剤付の甲ファスナーと乙ファスナーとからなる面ファスナーとをそれぞれ別個に製作し、これらの部材を注文の種類に応じて適宜組み合わせて重着することで多品種少量生産に対応し、歩留まりをよくする効果がある。【００３０】  また、運転者標識部材と、懸吊ベルト部材と、面ファスナーとをそれぞれ別個に製作するから、短冊形で下端を突縁に形成した前記懸吊ベルト部材の全長と、前記懸吊ベルト部材の上部裏面に貼付する甲ファスナーの位置から前記懸吊ベルト部材の下方表面に重着する前記運転者標識部材までの間隔とを受注生産することにより、多種多様な自動車の形状寸法に合致する自動車運転者標識を形成することが可能になる。【００３１】  第４の課題解決手段による効果は、短冊形の懸吊ベルト部材と、初心運転者・高齢運転者・聴覚障害者・身体障害者などの運転者標識部材と、粘着剤付の甲ファスナーと乙ファスナーとからなる面ファスナーとをそれぞれ別個に製作し、これらの部材を注文の種類に応じて適宜組み合わせて重着することで多品種少量生産に対応し、歩留まりをよくする効果がある。【００３２】また、運転者標識部材と、懸吊ベルト部材と、面ファスナーとをそれぞれ別個に製作するから、短冊形で下端を突縁に形成した前記懸吊ベルト部材の全長と、前記懸吊ベルト部材の上部裏面に貼付する甲ファスナーの位置から乙ファスナーまでの間隔と、前記懸吊ベルト部材の上部裏面に貼付する甲ファスナーの位置から前記懸吊ベルト部材の下方表面に重着する前記運転者標識部材までの間隔とを受注生産することにより、多種多様な自動車の形状寸法に合致する自動車運転者標識を形成することが可能になる。
【発明を実施するための形態】
【００３３】  以下、本発明の実施の形態を図１〜８に基づいて説明する。
【００３４】  図においては、懸吊ベルト２の上部裏面Ｃに粘着剤付の甲ファスナー３と乙ファスナー４とからなる面ファスナーＤの甲ファスナー３を貼付し、前記懸吊ベルト２の下方表面Ａには運転者標識１を表示し、乙ファスナー４を自動車のトランクリッドが下降して閉止する外縁部Ｅに隠蔽して貼付し、前記面ファスナーＤと前記懸吊ベルト２とを介して自動車の外面に運転者標識１を表示する自動車運転者標識である。
【００３５】  また、前記懸吊ベルト２を反転し、裏面の標語又は広告をリバーシブル表示する。
【００３６】  本発明の図９〜１５は、懸吊ベルト２の上部裏面Ｃに貼付する甲ファスナー３の位置から下方に所定幅Ｆを離間して乙ファスナー４を貼付し、自動車前部の突設部材Ｇに前記離間部を環状に巻掛けて前記甲ファスナー３と前記乙ファスナー４とを着接し、運転者標識１を自動車の外面に装着して表示するものである。
【００３７】  本発明の図１６〜１８は、運転者標識部材１１と、懸吊ベルト部材１２とを別個に製作し、短冊形の前記懸吊ベルト部材１２と、前記懸吊ベルト部材１２の下方表面Ａに重着する運転者標識部材１１とを接合し、前記懸吊ベルト部材１２の上部裏面Ｃに貼付する甲ファスナー３と乙ファスナー４とからなる面ファスナーＤを順に重ね合わせたものである。
【００３８】  本発明の図１９〜２１は、懸吊ベルト２の上部両面に貼付する甲ファスナー３の位置から下方に所定幅Ｆを離間して乙ファスナー４を両面に貼付し、自動車前部の突設部材Ｇに前記離間部を環状に巻掛けて前記甲ファスナー３と前記乙ファスナー４とを着接し、健常者が運転するときは、裏面の交通安全運転標語又は広告をリバーシブル表示することにより、健常者と保護が必要な特定の自動車運転者とが同一の自動車を共用することが可能になる。
【００３９】  本発明の図２２は、懸吊ベルト２又は懸吊ベルト部材１２の上部裏面Ｃに貼付した甲ファスナー３を、自動車の外縁部Ｅに貼付した乙ファスナー４に着接する詳細図である。
【００４０】  本発明の図２３は、懸吊ベルト２又は懸吊ベルト部材１２の上部両面に貼付した甲ファスナー３の片面を、自動車の外縁部Ｅに貼付した乙ファスナー４に着接するリバーシブル表示する参考詳細図である。
【００４１】  なお、本発明に記載の甲ファスナー３と乙ファスナー４とからなる面ファスナーＤを適用した実施の形態を説明しているが、フック面とループ面との区別の無い面ファスナーにも同様に適用する。
【図面の簡単な説明】
【００４２】
【図１】  懸吊ベルトの下方表面に運転者標識を標示し、前記懸吊ベルトの上部裏面に、甲ファスナーと乙ファスナーとからなる面ファスナーを貼付した自動車運転者標識の正面図
【図２】  同じく図１における自動車運転者標識の側面図
【図３】  同じく図１における懸吊ベルトの裏面に、標語を表示した自動車運転者標識の裏面図
【図４】  同じく図１における運転者標識を、自動車の後部外面に垂下して表示する自動車運転者標識の取付正面図
【図５】  同じく図１における自動車運転者標識のトランク外縁への取付断面図
【図６】  同じく図１における自動車運転者標識のトランク外縁への取付部詳細図
【図７】  同じく図１における自動車運転者標識のトランクリッドへの取付参考断面図
【図８】  同じく図１における自動車運転者標識のトランクリッドへの取付部参考詳細図
【図９】  懸吊ベルトの上部裏面に貼付する甲ファスナーの位置から下方に所定幅を離間して乙ファスナーを貼付した自動車運転者標識の正面図
【図１０】  同じく図９における自動車運転者標識の側面図
【図１１】  同じく図９における懸吊ベルトの裏面に、標語を表示した自動車運転者標識の裏面図
【図１２】  自動車のフロントグリルに、懸吊ベルトの上部裏面を環状に巻掛けて、甲ファスナーと乙ファスナーとを着接し、運転者標識を自動車の外面に装着して表示する自動車運転者標識の取付正面図
【図１３】  同じく図１２における自動車運転者標識の取付断面図
【図１４】  自動車のフロントグリルに取り付けた突設部材に、懸吊ベルトの上部裏面を環状に巻掛けて、甲ファスナーと乙ファスナーとを着接し、運転者標識を自動車の外面に装着して表示する自動車運転者標識の取付正面図
【図１５】  同じく図１４における自動車運転者標識の取付断面図
【図１６】  懸吊ベルト部材と、該懸吊ベルト部材の下方表面に接合する運転者標識部材とを接合し、前記懸吊ベルト部材の上部裏面に貼付する甲ファスナーと乙ファスナーとからなる面ファスナーとを備えた自動車運転者標識の正面図
【図１７】  同じく図１６における自動車運転者標識の側面図
【図１８】  同じく図１６における懸吊ベルトの裏面に、標語を表示した自動車運転者標識の裏面図
【図１９】  懸吊ベルトの表裏両面に、甲ファスナーと所定幅を離間して乙ファスナーを貼付した自動車運転者標識の参考正面図
【図２０】  同じく図２０における自動車運転者標識の参考側面図
【図２１】  同じく図２０における懸吊ベルトの裏面に、広告を表示した自動車運転者標識の参考裏面図
【図２２】  懸吊ベルト又は懸吊ベルト部材の上部裏面に貼付した甲ファスナーを、トランク外縁に貼付した乙ファスナーに着接した断面図
【図２３】  懸吊ベルト又は懸吊ベルト部材の上部両面に貼付した甲ファスナーの片面を、トランク外縁に貼付した乙ファスナーにリバーシブル着接を可能にする参考断面図
【符号の説明】
【００４３】Ａ      下方表面
Ｂ      幅員
Ｃ      上部裏面
Ｄ      面ファスナー
Ｅ      外縁部
Ｆ      所定幅
Ｇ      突設部材
Ｈ      突縁
１      運転者標識
２      懸吊ベルト
３      甲ファスナー
４      乙ファスナー
１１    運転者標識部材
１２    懸吊ベルト部材
【図１】
0006093931.tif 000002
【図２】
0006093931.tif 000003
【図３】
0006093931.tif 000004
【図４】
0006093931.tif 000005
【図５】
0006093931.tif 000006
【図６】
0006093931.tif 000007
【図７】
0006093931.tif 000008
【図８】
0006093931.tif 000009
【図９】
0006093931.tif 000010
【図１０】
0006093931.tif 000011
【図１１】
0006093931.tif 000012
【図１２】
0006093931.tif 000013
【図１３】
0006093931.tif 000014
【図１４】
0006093931.tif 000015
【図１５】
0006093931.tif 000016
【図１６】
0006093931.tif 000017
【図１７】
0006093931.tif 000018
【図１８】
0006093931.tif 000019
【図１９】
0006093931.tif 000020
【図２０】
0006093931.tif 000021
【図２１】
0006093931.tif 000022
【図２２】
0006093931.tif 000023
【図２３】
0006093931.tif 000024